【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
天井、床、および左右の壁を備え、床の上にピッチャーズマウンドおよびホームベースが配置されたピッチングルームを商品や役務を提供する店舗の施設として設け、ピッチャーズマウンドからホームベースの方向に投球されるボールに応じて仮想の野球試合を行うピッチングシステムであって、
前記ホームベースの後方において、投球されたボールを受け止めて床に落下させる網部材と、
前記ピッチャーズマウンド側から前記ホームベースの方向を２次元の固体撮像素子によって撮像する撮像手段と、
前記ピッチャーズマウンドの位置から前記ホームベースの後端の位置までの間の所定の複数の位置において、天井又は床に設けられ、対向する床又は天井における細長い水平縞状の領域の写像を前記撮像手段の方向に反射する水平方向の光反射手段と、
前記複数の位置において、一方の壁に設けられ、対向する他方の壁における細長い垂直縞状の領域の写像を前記撮像手段の方向に反射する垂直方向の光反射手段と、
各位置における水平方向および垂直方向の光反射手段によって反射された水平縞状および垂直縞状の領域の写像を遮光するボールの写像を前記撮像手段が撮像したときは、当該遮光するボールの撮像画像によって投球されたボールの水平方向、垂直方向、および前記ピッチャーズマウンドから前記ホームベースの方向の３次元の位置を検出する位置検出手段と、
前記網部材の後方に配置されて、投球されるボールを判定するための画像を表示する画像表示手段と、
前記位置検出手段によって検出されたボールの３次元の位置および前記画像表示手段に表示された画像に基づいて投球されたボールを判定する投球判定手段と、
前記投球判定手段の判定結果に応じて仮想の野球試合を進行させる試合進行手段と、
前記仮想の野球試合における優れた投球結果である完全試合、無安打試合、完封試合、無四球試合、所定数以上の三振数などに応じて、前記店舗における商品又は役務に対する料金の割引を行う料金管理手段と、
を備えたことを特徴とするピッチングシステム。
【請求項２】
天井、床、および左右の壁を備え、床の上にピッチャーズマウンドおよびホームベースが配置されたピッチングルームを商品や役務を提供する店舗の施設として設け、ピッチャーズマウンドから投球されるボールに応じて仮想の野球試合を行うピッチングシステムであって、
前記ホームベースの後方において、投球されたボールを受け止めて床に落下させる網部材と、
前記ピッチャーズマウンド側から前記ホームベースの方向を２次元の固体撮像素子によって撮像する撮像手段と、
前記ピッチャーズマウンドの位置から前記ホームベースの後端の位置までの間の所定の複数の位置において、天井若しくは床又は一方の壁に設けられ、対向する床若しくは天井又は他方の壁に向けて水平方向又は垂直方向に細長い帯状の光を照射する発光手段と、
各位置の前記発光手段から照射された帯状の光を受けたボールの写像を前記撮像手段が撮像したときは、当該帯状の光を受けたボールの撮像画像によって投球されたボールの水平方向、垂直方向、および前記ピッチャーズマウンドから前記ホームベースの方向のボールの３次元の位置を検出する位置検出手段と、
前記網部材の後方に配置されて、投球されるボールを判定するための画像を表示する画像表示手段と、
前記位置検出手段によって検出されたボールの３次元の位置および前記画像表示手段に表示された画像に基づいて投球されたボールを判定する投球判定手段と、
前記投球判定手段の判定結果に応じて仮想の野球試合を進行させる試合進行手段と、
前記仮想の野球試合における優れた投球結果である完全試合、無安打試合、完封試合、無四球試合、所定数以上の三振数などに応じて、前記店舗における商品又は役務に対する料金の割引を行う料金管理手段と、
を備えたことを特徴とするピッチングシステム。
【請求項３】
天井、床、および左右の壁を備え、床の上にピッチャーズマウンドおよびホームベースが配置されたピッチングルームを商品や役務を提供する店舗の施設として設け、ピッチャーズマウンドからホームベースの方向に投球されるボールに応じて仮想の野球試合を行うピッチングシステムであって、
前記ピッチャーズマウンド側から前記ホームベースの方向を２次元の固体撮像素子によって撮像する撮像手段と、
前記ピッチャーズマウンドの位置から前記ホームベースの後端の位置までの間の所定の複数の位置において、天井又は床に設けられ、対向する床又は天井における細長い水平縞状の領域の写像を前記撮像手段の方向に反射する水平方向の光反射手段と、
前記複数の位置において、一方の壁に設けられ、対向する他方の壁における細長い垂直縞状の領域の写像を前記撮像手段の方向に反射する垂直方向の光反射手段と、
各位置における水平方向および垂直方向の光反射手段によって反射された水平縞状および垂直縞状の領域の写像を遮光するボールの写像を前記撮像手段が撮像したときは、当該遮光するボールの撮像画像によって投球されたボールの水平方向、垂直方向、および前記ピッチャーズマウンドから前記ホームベースの方向の３次元の位置を検出して位置検出信号を出力する位置検出手段と、
前記位置検出手段から出力された位置検出信号を受信して動作し、前記ホームベースの後方において、投球されたボールを捕球する人型のロボット装置と、
前記位置検出手段によって検出されたボールの３次元の位置に基づいて投球されたボールを判定する投球判定手段と、
前記投球判定手段の判定結果に応じて仮想の野球試合を進行させる試合進行手段と、
前記仮想の野球試合における優れた投球結果である完全試合、無安打試合、完封試合、無四球試合、所定数以上の三振数などに応じて、前記店舗における商品又は役務に対する料金の割引を行う料金管理手段と、
を備えたことを特徴とするピッチングシステム。
【請求項４】
天井、床、および左右の壁を備え、床の上にピッチャーズマウンドおよびホームベースが配置されたピッチングルームを商品や役務を提供する店舗の施設として設け、ピッチャーズマウンドから投球されるボールに応じて仮想の野球試合を行うピッチングシステムであって、
前記ピッチャーズマウンド側から前記ホームベースの方向を２次元の固体撮像素子によって撮像する撮像手段と、
前記ピッチャーズマウンドの位置から前記ホームベースの後端の位置までの間の所定の複数の位置において、天井若しくは床又は一方の壁に設けられ、対向する床若しくは天井又は他方の壁に向けて水平方向又は垂直方向に細長い帯状の光を照射する発光手段と、
各位置の前記発光手段から照射された帯状の光を受けたボールの写像を前記撮像手段が撮像したときは、当該帯状の光を受けたボールの撮像画像によって投球されたボールの水平方向、垂直方向、および前記ピッチャーズマウンドから前記ホームベースの方向のボールの３次元の位置を検出して位置検出信号を出力する位置検出手段と、
前記位置検出手段から出力された位置検出信号を受信して動作し、前記ホームベースの後方において、投球されたボールを捕球する人型のロボット装置と、
前記位置検出手段によって検出されたボールの３次元の位置に基づいて投球されたボールを判定する投球判定手段と、
前記投球判定手段の判定結果に応じて仮想の野球試合を進行させる試合進行手段と、
前記仮想の野球試合における優れた投球結果である完全試合、無安打試合、完封試合、無四球試合、所定数以上の三振数などに応じて、前記店舗における商品又は役務に対する料金の割引を行う料金管理手段と、
を備えたことを特徴とするピッチングシステム。
【請求項５】
前記料金管理手段は、前記店舗における商品又は役務の売上金額に基づいて、投球に対する料金の割引を行うことを特徴とする請求項１ないし４のいずれか１項に記載のピッチングシステム。
【請求項６】
前記画像表示手段は、前記位置検出手段によって検出されたボールの３次元の位置に同期して捕球動作を行うキャッチャーの画像および打撃動作又は見送り動作を行うバッターの画像をさらに表示することを特徴とする請求項１又は２に記載のピッチングシステム。
【請求項７】
無線通信端末を介して投球の予約を受け付ける予約受付手段、予約した無線通信端末との間で無線通信を行う通信管理手段、および、前記ピッチングルームにおいて仮想の野球試合の進行状況に基づいて投球が終了する時刻を予測して終了予測時刻を前記通信管理手段に対して送信する送信手段と、をさらに備え、
前記通信管理手段は、前記送信手段から受信した終了予測時刻に基づいて前記予約した無線通信端末に対して投球が可能な時刻を通知することを特徴とする請求項１ないし４のいずれか１項に記載のピッチングシステム。
【手続補正２】
【補正対象書類名】明細書
【補正対象項目名】０００７
【補正方法】変更
【補正の内容】
【０００７】
本発明のピッチングシステムは、天井、床、および左右の壁を備え、床の上にピッチャーズマウンドおよびホームベースが配置されたピッチングルームを商品や役務を提供する店舗の施設として設け、ピッチャーズマウンドからホームベースの方向に投球されるボールに応じて仮想の野球試合を行うピッチングシステムであって、ホームベースの後方において、投球されたボールを受け止めて床に落下させる網部材（実施形態においては、金網に相当する）と、ピッチャーズマウンド側からホームベースの方向を２次元の固体撮像素子によって撮像する撮像手段（実施形態においては、ビデオカメラに相当する）と、撮像手段がボールの写像を撮像したときは、ピッチャーズマウンドから投球されたボールの水平方向、垂直方向、およびピッチャーズマウンドからホームベースの方向の３次元の位置を検出する位置検出手段（実施形態においては、ＣＰＵに相当する）と、網部材の後方に配置されて、投球されるボールを判定するための画像を表示する画像表示手段（実施形態においては、プロジェクタに相当する）と、位置検出手段によって検出されたボールの３次元の位置および画像表示手段に表示された画像に基づいて投球されたボールを判定する投球判定手段（実施形態においては、ＣＰＵに相当する）と、投球判定手段の判定結果に応じて仮想の野球試合を進行させる試合進行手段（実施形態においては、ＣＰＵに相当する）と、仮想の野球試合における優れた投球結果である完全試合、無安打試合、完封試合、無四球試合、三振数などに応じて、店舗における商品又は役務に対する料金の割引を行う料金管理手段（実施形態においては、中央管理センタに相当する）と、を備えた構成になっている。
【手続補正３】
【補正対象書類名】明細書
【補正対象項目名】０００８
【補正方法】変更
【補正の内容】
【０００８】
本発明のピッチングシステムは、天井、床、および左右の壁を備え、床の上にピッチャーズマウンドおよびホームベースが配置されたピッチングルームを商品や役務を提供する店舗の施設として設け、ピッチャーズマウンドからホームベースの方向に投球されるボールに応じて仮想の野球試合を行うピッチングシステムであって、ピッチャーズマウンド側からホームベースの方向を２次元の固体撮像素子によって撮像する撮像手段（実施形態においては、ビデオカメラに相当する）と、撮像手段がボールの写像を撮像したときは、ピッチャーズマウンドから投球されたボールの水平方向、垂直方向、およびピッチャーズマウンドからホームベースの方向の３次元の位置を検出して位置検出信号を出力する位置検出手段（実施形態においては、ＣＰＵに相当する）と、位置検出手段から出力された位置検出信号を受信して動作し、ホームベースの後方において、投球されたボールを捕球する人型のロボット装置と、位置検出手段によって検出されたボールの３次元の位置に基づいて投球されたボールを判定する投球判定手段（実施形態においては、ＣＰＵに相当する）と、投球判定手段の判定結果に応じて仮想の野球試合を進行させる試合進行手段（実施形態においては、ＣＰＵに相当する）と、仮想の野球試合における優れた投球結果である完全試合、無安打試合、完封試合、無四球試合、三振数などに応じて、店舗における商品又は役務に対する料金の割引を行う料金管理手段（実施形態においては、中央管理センタに相当する）と、を備えた構成になっている。